(57)【要約】【課題】安価に且つ短期で構築することができる立体設備とこれの構築に用いられるブロック体を提供すること。【解決手段】ブロック体１は、樹脂で一体成形されるものであって、フック２と係合孔３が形成された平板状のベース部１Ａと、該ベース部１Ａから垂直に起立する突起部１Ｂとを備えている。立体設備１０は、複数の前記ブロック体１を突起部１Ｂを上にして縦横方向に互いに連結した状態で平面状に配置し、これらの上方に複数のブロック体１を突起部１Ｂを下にして縦横方向に互いに連結した状態で平面状に配置し、縦横に１つおきに対向する上下のブロック体１の間に柱１１を垂直に架設し、上方に配置された複数のブロック体１上に複数のパネル１２を配置して構成される。【選択図】図４
2018131798.tif 000002
【特許請求の範囲】
【請求項１】
樹脂で一体成形され、フックと係合孔が形成された平板状のベース部と、該ベース部から垂直に起立する突起部とを備えることを特徴とするブロック体。
【請求項２】
請求項１記載の複数のブロック体を突起部を上にして縦横方向に互いに連結した状態で平面状に配置し、これらの上方に複数のブロック体を突起部を下にして縦横方向に互いに連結した状態で平面状に配置し、縦横に１つおきに対向する上下のブロック体の間に柱を垂直に架設し、上方に配置された複数のブロック体上に複数のパネルを配置して構成されることを特徴とする立体設備。
【請求項３】
請求項１記載の複数のブロック体を突起部を上にして縦横方向に互いに連結した状態で平面状に配置し、縦横に１つおきに並ぶ前記ブロック体の上方に複数のブロック体を上下を逆にして積み重ね、最上段のブロック体の上に複数のパネルを配置して構成されることを特徴とする立体設備。
【発明の詳細な説明】
【技術分野】
【０００１】
本発明は、樹脂製のブロック体とこれを用いて構築される駐車場等の立体設備に関するものである。
【背景技術】
【０００２】
例えば、特許文献１，２には、樹脂によって一体成形された複数のブロック体を上下を逆にして底壁上に積み重ねて成るユニット体を縦横に配置し、これらのユニット体の上に複数のコンクリートパネルを配置して上壁とし、該上壁と前記底壁の周囲を側壁で囲んで構成される貯留槽が提案されている。
【先行技術文献】
【特許文献】
【０００３】
【特許文献１】特開２００２−０７００９１号公報
【特許文献２】特開２００５−１８８２０７号公報
【発明の概要】
【発明が解決しようとする課題】
【０００４】
しかしながら、特許文献１，２において提案された貯留槽においては、上壁を支持するために多数のブロック体が必要となるため、部品点数が増えてコストアップを招く他、施工時間が長くなるという問題がある。又、各ブロック体が樹脂製であるためにその耐圧強度が比較的低く、これらに過大な垂直荷重が掛かると、これらのブロック体が荷重に耐えられないで破損する可能性がある。
【０００５】
本発明は上記問題に鑑みてなされたもので、その目的とする処は、安価に且つ短期で構築することができる立体設備とこれの構築に用いられるブロック体を提供することにある。
【課題を解決するための手段】
【０００６】
上記目的を達成するため、請求項１記載のブロック体は、樹脂で一体成形されるものであって、フックと係合孔が形成された平板状のベース部と、該ベース部から垂直に起立する突起部とを備えることを特徴とする。
【０００７】
請求項２記載の立体設備は、請求項１記載の複数のブロック体を突起部を上にして縦横方向に互いに連結した状態で平面状に配置し、これらの上方に複数のブロック体を突起部を下にして縦横方向に互いに連結した状態で平面状に配置し、縦横に１つおきに対向する上下のブロック体の間に柱を垂直に架設し、上方に配置された複数のブロック体上に複数のパネルを配置して構成されることを特徴とする。
【０００８】
請求項３記載の立体設備は、請求項１記載の複数のブロック体を突起部を上にして縦横方向に互いに連結した状態で平面状に配置し、縦横に１つおきに並ぶ前記ブロック体の上方に複数のブロック体を上下を逆にして積み重ね、最上段のブロック体の上に複数のパネルを配置して構成されることを特徴とする。
【発明の効果】
【０００９】
請求項１記載のブロック体を用いて構築される請求項２及び３記載の立体設備においては、多数のブロック体を縦横及び高さ方向に配置する必要がなく、縦横に１つおきに配置された上下一対のブロック体の間に柱を架設し、或いは縦横に１つおきに複数のブロック体を高さ方向に積み重ねれば良いため、必要なブロック体の数が削減されて施工時間が短縮されるとともに、コストが削減される。
【図面の簡単な説明】
【００１０】
【図１】本発明に係るブロック体の側面図である。
【図２】本発明に係るブロック体の平面図である。
【図３】本発明に係るブロック体の斜視図である。
【図４】第１発明に係る立体設備の部分側断面図である。
【図５】第１発明に係る立体設備の部分平面図である。
【図６】第２発明に係る立体設備の部分側断面図である。
【発明を実施するための形態】
【００１１】
以下に本発明の実施の形態を添付図面に基づいて説明する。
【００１２】
［ブロック体］
先ず、本発明に係るブロック体の実施の形態を図１〜図３に基づいて説明する。尚、図１は本発明に係るブロック体の正面図、図２は同ブロック体の平面図、図３は同ブロック体の斜視図である。
【００１３】
本発明に係るブロック体１は、矩形フランジ状のベース部１Ａと、該ベース部１Ａから垂直に突出する矩形容器状の突起部１Ｂとで一体に構成されている。ここで、ブロック体１は、ポリプロピレン（ＰＰ）等の樹脂によって一体に成形されている。
【００１４】
ところで、ブロック体１のベース部１Ａの隣接する２辺にはＬ字状に屈曲する２つのフック２がそれぞれ一体に形成されており、同ベース部１Ａの他の２辺に沿う各２箇所にはスリット状の係合孔３がそれぞれ形成されている。又、ベース部１Ａの底面の対角線上には垂直に起立する位置決めピン４と円孔状の係合孔５がそれぞれ形成されている。
【００１５】
又、ブロック体１の突起部１Ｂは、図１の上方に向かって若干絞られたテーパ状に形成されており、その上端中央部からは矩形のテーパ筒状の支持柱１Ｃが図１の下方に向かって一体に延びている。そして、この支持柱１Ｃは、図２及び図３に示すように、突起部１Ｂの頂面に矩形孔１ａとして開口している。更に、突起部１Ｂの頂面の対角線上には垂直に起立する位置決めピン６と円孔状の係合孔７が形成されている。尚、ブロック体１の突起部１Ｂの４つの側壁には、軽量化のための矩形の複数の通気孔８がそれぞれ形成されている。
【００１６】
［立体設備］
次に、本発明に係る立体設備の実施の形態を添付図面に基づいて説明する。
【００１７】
＜第１発明＞
先ず、第１発明に係る立体設備の構成を図４及び図５に基づいて以下に説明する。尚、図５は第１発明に係る立体設備の部分側断面図、図５は同立体設備の部分平面図である。
【００１８】
本発明に係る立体設備１０は、例えば駐車場として使用されるものであって、図１〜図３に示した複数の前記ブロック体１を用いて以下の手順に従って構築される。
【００１９】
即ち、図４に示すように、複数のブロック体１を突起部１Ｂを上にして地面上に縦横方向に互いに連結した状態で平面状に配置する。ここで、縦横に隣接する各２つのブロック体１の連結は、一方のブロック体１のベース部１Ａに形成された２つのフック２（図１及び図３参照）を他方のブロック体１のベース部１Ａに形成された２つの係合孔３（図１及び図３参照）に差し込んで係合させることによってなされる。
【００２０】
次に、図４に示すように、地面上に既に配置された複数のブロック体１の上方に複数のブロック体１を突起部を下にして縦横方向に互いに連結した状態で上下に重ねた状態で配置する。この場合の縦横に隣接する各２つのブロック体１の連結は、前述の結合構造（フック２の係合孔３への係合）によってなされる。又、上方に配置された上下２段のブロック体１は、各ベース部１Ａ同士が上下に重ねられるが、このとき、下側のブロック体１のベース部１Ａに突設された２つの位置決めピン４が上側のブロック体１のベース部１Ａに形成された係合孔５に係合し、上側のブロック体１のベース部１Ａに突設された２つの位置決めピン４が下側のブロック体１のベース部１Ａに形成された係合孔５に係合するため、上下のブロック体１が正確に位置決めされて確実に積み重ねられる。
【００２１】
そして、縦横に１つおきに対向する上下のブロック体１の各支持柱１Ｃの孔１ａ（図２参照）に横断面矩形の柱１１を差し込めば、各柱１１が垂直に起立して上方の２つのブロック体１を支持する。そして、図４及び図５に示すように、最後に最上段の複数のブロック体１の上にコンクリート製の矩形のパネル１２を互いに当接された状態で敷き詰めれば、駐車場として使用される立体設備１０が構築される。
【００２２】
以上のように、本発明に係る立体設備１０の構築に際しては、従来のように多数のブロック体１を縦横及び高さ方向に配置することなく、１つおきに上下に対向するブロック体１の間に柱１１を架設し、この柱１１によって上方のブロック体１を支持すれば良いため、必要なブロック体１の数を削減して施工時間に短縮することができるとともに、コストを削減することができるという効果が得られる。
【００２３】
＜第２発明＞
次に、第２発明に係る立体設備の構成を図６に基づいて以下に説明する。尚、図６は本発明の実施の形態２に係る立体設備の部分側断面図であり、本図においては図４及び図５に示したものと同一要素には同一符号を付しており、以下、それらについての再度の説明は省略する。
【００２４】
本発明に係る立体設備１０も例えば駐車場として使用されるものであって、図１〜図３に示した複数のブロック体１を使用して構築されるが、本発明に係る立体設備１０の構築に際しては、複数のブロック体１を突起部１Ｂを上にして縦横方向に互いに連結した状態で地面上に平面状に配置し、地面上に縦横に１つおきに並ぶブロック体１の上方に複数のブロック体１を上下を逆にして積み重ね、最上段のブロック体１の上にコンクリート製の矩形のパネル１２が配置される。
【００２５】
従って、本発明に係る立体設備１０においては、多数のブロック体１を縦横及び高さ方向に配置する必要がなく、１つおきに複数のブロック体１を高さ方向に積み重ねれば良いため、必要なブロック体１の数が削減されて施工時間が短縮されるとともに、コストが削減されるという効果が得られる。
【００２６】
尚、以上は本発明に係る立体設備が駐車場として使用される例について説明したが、本発明に係る立体設備は、駐車場以外の用途にも供せられることは勿論である。
【符号の説明】
【００２７】
１        ブロック体
１Ａ      ブロック体のベース部
１Ｂ      ブロック体の突起部
１Ｃ      ブロック体の支持柱
１ａ      支持柱の矩形孔
２        フック
３        係合孔
４        位置決めピン
５        係合孔
６        位置決めピン
７        係合孔
８        通気孔
１０      立体設備
１１      柱
１２      パネル
【図１】
2018131798.tif 000003
【図２】
2018131798.tif 000004
【図３】
2018131798.tif 000005
【図４】
2018131798.tif 000006
【図５】
2018131798.tif 000007
【図６】
2018131798.tif 000008